(57)【要約】【課題】平滑な面（紙面、樹脂面、ガラス面、スチール面など）ならどこでも少ないスペースに複数のプリント類を掲示しながら収納でき、同時に小物類などの収納が可能な掲示型プリント類収納ファイルを提供することを目的とする。【解決手段】密着シートまたはマグネットシートが付いた飾り板とプリント類を収納できる透明な複数プラスチックファイルを重ねて接着する。その透明プラスチックファイルの下方に、１枚ずつめくりやすいように付箋が付いており、いつでもめくって見やすくなっている。なお、付箋には、密着シートやマグネットシートが付いているため、縦書きのプリントでも横書きのプリントでも本発明品を回して使うことができ、縦開きにも横開きにも固定して見ることができるため２枚のプリントを同時に掲示して見ることができる。【選択図】        図１
2004249724.tif 000002
【特許請求の範囲】
【請求項１】
密着シートと、飾り板と、プラスチックファイルとを主な構成とする掲示型プリント類収納ファイル。
【請求項２】
密着シートと、飾り板と、プラスチックファイルと、付箋とを主な構成とする掲示型プリント類収納ファイル。
【請求項３】
密着シートと、飾り板と、プラスチックファイルと、密着シートまたはマグネットシート付き付箋とを主な構成とする掲示型プリント類収納ファイル。
【請求項４】
密着シートに代えてマグネットシートを用いたことを特徴とする請求項１から請求項３のいずれかに記載の掲示型プリント類収納ファイル。
【請求項５】
飾り板と付箋が磁石付きである請求項１から請求項４のいずれかに記載の掲示型プリント類収納ファイル。
【請求項６】
プラスチックファイルの表面に絵および／または字の書けるものである請求項１から請求項５のいずれかに記載の掲示型プリント類収納ファイル。
【請求項７】
プラスチックファイルを融着などにより複数に分割してなる請求項１から請求項６のいずれかに記載の掲示型プリント類収納ファイル。
【発明の詳細な説明】
【技術分野】
【０００１】
本発明は、プリント類の収納・整理、掲示に関するものである。
【背景技術】
【０００２】
従来、掲示プリントメモなどは冷蔵庫や壁、ホワイトボードなどに多くのスペースを使用してマグネットや画びょうなどでとめられていた。
【０００３】
特開２０００−０７４５５１号（以下、特許文献１という）に、「冷蔵庫および冷蔵庫用収納具偏平なスペースに複数のポケットを設けたシート状物または偏平な構造物を両面テープや吸盤その他の手段で止着することによって、磁石に代って多くの重要な紙片等を家族中に目に付く状態で収納できることを目的としている。」記載がある。
特開平０８−０６９９１４号（以下、特許文献２という）に、「メモホルダーを壁面等に止着し、その差込口にメモ用紙等を差し込むと、用紙はインサートガイドに当接した後、発泡材の弾性で柔らかく押圧されながら、インサートガイドとホルダー本体部の間にスムースに挿入されてゆき、しっかりと挟持される。」との記載がある。
【０００４】
【特許文献１】特開２０００−０７４５５１号公報
【特許文献２】特開平０８−０６９９１４号公報
【発明の開示】
【発明が解決しようとする課題】
【０００５】
しかしながら、特許文献１には、平面にポケットがならべられており多くのメモやカードを収納しながら掲示するとなると量の分だけ広いスペースが必要であり、小さいメモは収納、掲示ができるがＢ５サイズ以上の大きなプリントやメモは収納しながら同時に掲示するのは難しいという問題点がある。なお、折り曲げて収納はできるが広げて掲示していないため必要なときに、すぐに探し出して見ることが難しいという問題点がある。加えて両面に印刷されている掲示物になるとそれを取り出してみないと片面しか見ることができないという問題点もある。止着方法が両面テープでは剥離と密着を繰り返して使用できないという問題点がある。さらには、広いスペースに収納できるとはいえ、バラバラのプリントを収納したことで、外観上かたずいていないように見え美的センスが低くなっていた。人に見せられないような私的なメモや領収書などをリビングルームなどに提示することはできないため設置場所が限定される問題もあった。また一度張った物をファイルに入れたまま別の場所へ移動させようとしても、粘着テープがはがれたり移動中に粘着テープが本体に張り付くと絡まって再度貼り付けることができなくなる問題もあった。さらにはメモがポケットよりも大きいと縦書きの物を横向きに入れたり、横書きの物を縦向きに入れたりしなければならず取り出さずに読むには、読みにくくなる問題があった。またポケットよりもメモが小さいと、ポケットの底にメモが落ちて取り出すのが困難になったり、縦横が狂ったり逆さになったりしても入れ直すのが困難な問題があった。さらには取り外しができないので小物やゴミがポケットに入っても取り出せない問題があった。またいつもポケットの底にほこりがたまり清潔感が無くなる問題があった。特に厚みのあるメモが入れられるようにポケットの開口部を大きくするとゴミが入りやすい。
【０００６】
特許文献２には、大きさの違うプリントやメモ収納の場合、大きな物が前列にあると奥にある小さなメモ類を見つけるのが困難であるとする問題点がある。項目別に分けて収納することができないため、必要な物を必要なときにすぐに見つけ出しにくいし、奥のプリントを見たいときは、取り外すか、片手で不要なプリントを押さえていなければ見るのが困難であるとする問題点もある。プリント類などの収納は可能であるが、ちょっとした小物などの収納はできないという問題点がある。発泡材の弾性で挟持するために、長期掲示しながら保存しなければならないものなどプリントが汚れたり破損したりするおそれがあるという問題点がある。さらには、挟み込むという構造上、厚みのあるプリント類を多数挟み込むことはできずさらには挟めないことも生じる問題があった。逆に薄手の紙を挟むと引き抜く際にやぶれるの問題があった。またすべりの良いメモがあると多くのメモを挟んだ時に重みに耐えかねてすべり落ちたり、逆にすべりの悪いメモを挟むと引き抜く際に隣のメモも同時に引っ張りでたり、マグネットが外れてホルダーごと外れる問題があった。また、大きなメモと小さなメモを同時に収納した場合、幅の小さいホルダーを使うと大きなメモがホルダーから飛び出して左右の重みのバランスが崩れるとホルダーが傾いたり、逆にホルダーの幅が大きすぎるとメモが小さいときに同時にメモを横に並べるとメモの厚みが異なる場合、薄いメモが落下する問題が生じた。落下しないように同じ場所に重ねて収納した場合、ホルダーよりもメモが小さいために均一に挟み込むことができずに斜めに挟むことになって、重量バランスがくるって落下する問題があった。さらには異物が挟まったり紙片が挟み込まれると取り除くことができずに使用不能になる問題があった。特に濡れた紙や湿った紙を差し込んだ場合にこの問題が発生した。またさらに、美的センスが低かった。
【０００７】
本発明は、Ｂ７〜Ａ２平滑な面（紙面、樹脂面、ガラス面、スチール面など）にも密着して使用できる少ないスペースに複数のプリント類を掲示、収納でき、さらに縦書きのものでも横書きのものでも本発明品を紙面に向かって９０度回転させることでどちらも掲示、収納でき、また、プラスチックファイルを１枚ずつめくって上に固定したり横に固定したりできるので奥に収納したプリント類も手を添えずに掲示して見ることができ、しかもプラスチックファイルが融着などにより、複数に分割されているので、小さなメモやカードのみならず小物まで入れることができ、さらに、プラスチックファイルの取り出し口が片面に限定されていないため、ファイルよりも大きなものも収納、掲示でき、しかもファイルの表面に絵および字が書けるし、プラスチックファイルの１枚目に絵画や写真を収納することで周囲の環境に違和感なく本発明品を配置でき、また、止着方法が剥離と密着を繰り返しできるものであるため、中の物も取り出したりしやすいし持ち運ぶことも可能であるし、プラスチックファイルが袋に名っているため厚みのあるプリントでも薄いプリントでも湿った紙でも濡れた紙でも掲示、収納できる掲示型プリント類収納ファイルを提供することを目的とする。
【課題を解決するための手段】
【０００８】
本願発明者は、密着シートまたはマグネットシートが付いた飾り板とプリント類を収納できる透明な複数プラスチックファイルを重ねて接着することで少ないスペースに複数のプリント類を収納掲示できるようになっている。なお、透明プラスチックファイルの下方に１枚ずつめくりやすいように付箋が付いており、いつでもめくって見やすくなっている。なお、付箋には密着シートまたはマグネットシートが付いているため、縦書きのプリントでも横書きのプリントでも本体を回転させて使用することができる。しかも、めくったファイルを上開きで固定したり、横開きで固定したりできるようになっている。加えてプラスチックファイルを融着などで小分けにできることから、小物などの収納も可能である。平滑な面（紙面、樹脂面、ガラス面、スチール面など）ならどこでも剥離と密着を繰り返して使用できるようになっているので上記課題を解決した。
【０００９】
本発明にいう密着シートは、平滑な面（紙面、樹脂面、ガラス面、スチール面など）にも密着して使用できるいわゆる粘着テ―プであって、剥離と密着を繰り返して使用できるものである。
本発明にいうマグネットシートは、磁石のゴムで形成されたものであって金属製の平滑なめん面なら剥離と密着を繰り返し使用できるものである。
本発明にいう飾り板は、薄板、平面の磁石、木板、竹板、厚紙、プラスチック、金属、ゴムであって、荷重が５０〜３０００グラム、好ましくは１００〜１５００グラムに耐えられるものである。
本発明にいうプラスチックファイルとは、コピー用紙や書類などを収納・整理できるナイロン、ポリプロピレン、ポリエチレン、ポリカエステル、セロファン、和紙、西洋紙の少なくとも一つを原料とするフイルムおよび／または複合フイルムから造られる透明または半透明、または、不透明な袋であって、プリント類を収納できるものをいう。これらに着色したものも含まれる。このプラスチックファイルのサイズは、Ｂ７〜Ａ２のものである。
本発明にいうプリント類とは、コピー用紙をはじめ、メモ・料理のレシピやカレンダー、カード、書類などのことをいう。
【００１０】
本発明の掲示型プリント類収納ファイルは、密着シートと、飾り板と、プラスチックファイルとから構成される。
本発明の掲示型プリント類収納ファイルは、密着シートと、飾り板と、プラスチックファイルと、付箋とから構成される。
本発明の掲示型プリント類収納ファイルは、密着シートと、飾り板と、プラスチックファイルと、密着シートまたはマグネットシート付き付箋とから構成される。
密着シートに代えてマグネットシートを用いた掲示型プリント類収納ファイルも本発明に含まれる。
飾り板と付箋が磁石付きである掲示型プリント類収納ファイルも本発明に含まれる。
プラスチックファイルの表面に絵および／または字の書けるものである掲示型プリント類収納ファイルも本発明に含まれる。さらにプラスチックファイルを融着などにより複数に分割してなる掲示型プリント類収納ファイルも本発明に含まれる。
【発明の効果】
【００１１】
以上のように請求項１〜７の記載の発明によれば少ないスペースで複数のプリント類を整理・収納しながら掲示することができる。加えて平滑な面（紙面、樹脂面、ガラス面、スチール面など）ならどこでも掲示できるし、プリント類をめくりながら固定できるため表・裏どのプリント類も掲示して見ることができる。
【発明を実施するための最良の形態】
【００１２】
本発明装置の実施例の平面図を図１に示す。掲示型プリント類収納ファイルは、密着して繰りかえし使用できる密着シートが付いた飾り板とプリント類を収納できる、透明で複数のプラスチックファイルと密着シート付き付箋からなり、平滑な面（紙面、樹脂面、ガラス面、スチール面など）ならどこでも装着して少ないスペースで複数のプリント類を収納、掲示できるのものである。
【００１３】
プラスチックファイルに付箋を付けずに密着シートあるいは、マグネットシートを設けるとプラスチックファイル同士がくっついたり、プラスチックファイル内に入れたプリント類が一部見えなくなる等の問題があるため、付箋を付けて付箋に密着シートまたはマグネットシートを設けることが好ましい。
本発明品は、収納するプリントがたとえ縦書きの掲示物であっても、あるいは横書きの掲示物であっても、本発明品を掲示する祭に、本発明品を紙面に向かって９０度回転させることで縦書き掲示物も掲示収納することができる。すなわち縦書きの物でも横書きの物でもどちらでも掲示収納することができる。
【００１４】
さらに、平滑な面（紙面、樹脂面、ガラス面、スチール面など）ならどこでも使用できるように、飾り板および付箋に配置される密着シートは、両面テープのような粘着シートを飾り板および付箋に貼り付けることでも実施できる。そのため、本発明品の使用直前に飾り板および付箋に両面テープを貼り付けるようにしても、あらかじめ、両面テープの片面を飾り板および付箋に貼り付けておいて、使用直前に両面テープの保護フィルムをはがして使用する方法であっても、本発明を逸脱するものではない。密着強度が弱い粘着テープを使用する場合においては、保護フィルムをあらかじめ付着しなくても本発明を逸脱するものではない。
【００１５】
なお、飾り板および付箋に配置される密着シートは、上記以外に、飾り板および付箋本体に格納されるものであってもよく、たとえば、飾り板および付箋を、薄板、平面の磁石、木板、竹板、厚紙、プラスチック、金属、ゴムからなる２枚あるいは二つ折りにして構成して、その一部分に穴をあけて、その穴の部分に密着シートが外れないように挟み込んでおくことで、飾り板および付箋は、表でも裏でも密着シートが使用可能であるため本発明品を裏でも表でも掲示することができる。さらには、付箋部分が両面密着可能であることから、本をめくるように本発明品のプラスチックシートをめくって使用した場合、２ページ以降の掲示物の掲示もページを固定できるため可能である。
【００１６】
また、縦書き、横書きのプリントが混在していても、本発明物を左右に９０度回転させることで掲示可能となり、開いたページごとに縦置きプリント、横置きプリントを配置しておけば、本をめくるようにプラスチックシートのページをめくって固定することで自然に掲示ができる。
【００１７】
密着シートは粘着シートであってもよいが、密着シートに代えて磁石を用いることで、本発明品の使用後でも、平滑面に粘着材を残したり、汚したりすることを防止することができ、金属性の平滑な面に繰り返し使えることができるだけでなく、密着面にごみやほこりがあっても繰り返しの密着力が低下せず、繰り返し何度でも使えるので好ましい。さらには、板状のゴムで形成されたいわゆるマグネットシートを用いることで、本発明を落下させてしまった場合でも、磁石が破損したり飛散することを防止できるので、本発明品を一般の家庭内で安全に使用することができる。なお、密着シート付き付箋の代わりにマグネットシート付き付箋にすることでも、同様な効果が得られるので好ましい。
【００１８】
図３のＢに示すとおり、特に飾り板（Ｂ２）および付箋（Ｂ６）を、２枚あるいは二つ折りにして構成した場合、磁力を通す素材、厚さの物で飾り板および付箋を構成すると、磁石を挟み込んだ飾り板および付箋は、穴をあけることもなく、粘着テープを設置することなく、裏でも表でも磁力で密着できる本発明品を構成することができるので、外観上は普通のプラスチックファイルでありながら、掲示も可能となるため、一度掲示した後に、他のファイルや本等と一緒にかばんに入れて運搬した後、他の場所で掲示を試みても、かばんの中で一緒に入ったファイルや本に密着テープがくっついたり、はがす際にファイルや本等を破損することがない。
【００１９】
飾り板と付箋に密着シートとともに磁石をつけることで、さらに強固に本発明品を密着できるので好ましい。
【００２０】
プラスチックファイルの表面に絵および／または字を書けるようにすることで、本発明品に絵画等を描くことができるので、本発明品内部にプリントを収納していても内部が見えないことで、本発明品を周囲の環境に違和感なく配置することができるので、インテリア性の高い掲示物とすることができる。また、透明なプラスチックファイルを用いた場合、本発明品のプラスチックファイル内に収納されるプリントを汚さずに、プラスチックファイル自体にプリントに追記したいメモ等を記載できる。メモは絵でも字でもシールであってもよい。また、絵画を描く代わりにプラスチックファイルの１枚目に絵画や写真を収納してもよい。
【００２１】
プラスチックファイルを融着などにより複数に分割することで、複数のプリントを同時に掲示することができる。この場合、プリントの出し入れ口はプラスチックファイルの片面に限定するものではなく、融着により複数に分割された部分に個別に設けることができ、表面でも裏面でもどちらでも、あるいは両面に設けることができる。また、プラスチックファイルを区分できることで、プラスチックファイル内にプリントのみならず、小物（たとえば、アクセサリー、小分けにした薬など）を入れることができるのは言うまでもない。さらに、複数に分割する場合は、任意の形状に融着することができるので、たとえば、アニメーション等のキャラクターや、インテリアグラフィック等のデザインの輪郭に沿って融着することで、インテリア性の高い掲示物とすることもできる。
【００２２】
図２は本発明のたて型の裏側である。図２のように裏側の装着部分の上部、飾り板（２）に密着シート（１）が付いており、その部分とプリント類が縦にはいるように透明プラスチックファイル（３）が複数接着してある。
図３がそれの断面図である。
【００２３】
図４は本発明のたて型の表側である。透明プラスチックファイル（３）の右横に出し入れ口（４）があいており自由にプリント類の出し入れができる。なお、透明プラスチックファイルの下の部分に密着シート（５）のついた付箋（６）が付いており上に１枚ファイルを持ち上げると密着シートにより上に張りつくので図５のように２倍の掲示が可能である。上部と下部に密着シートが付いているため平滑な面（紙面、樹脂面、ガラス面、スチール面など）ならどこでも掲示できるようになっている。
【００２４】
なお、出し入れ口（４）は右横にのみ限定するものではなく、左横でも本発明を逸脱するものではなく、単に本発明物を紙面に向かって時計方向あるいは半時計方向に１８０度回転させて使用することでも、同一の機能を満たすことができることは言うまでもない。
さらには出し入れ口を左右にあけることで透明プラスチックファイル（３）よりも大きなプリント類も収納することもできる。
【００２５】
また、本発明物を紙面に向かって半時計方向に９０度回転させることで、透明プラスチックファイル（３）を横開きにめくることができるために、横長のプリント類を収納できるだけでなく、上下方向に狭い空間でも本発明品を設置することを可能にする。さらには密着シート（１）の密着部分が上下方向に配置されることになり、本発明物の耐荷重性能を向上させる効果を発生させる。付箋（６）に固定された密着シート（５）も同効果を発生させる。
【００２６】
図６は本発明のよこ型の裏側である。図６のように裏側の装着部分の上部、飾り板（２）に密着シートが付いており（１１）、その部分とのプリント類が横にはいるように透明プラスチックファイル（３１）が複数接着してある。図７がよこ型の断面図である。図８は本発明のよこ型の表側である。透明プラスチックファイルの右横に出し入れ口（４１）があいており自由にプリント類の出し入れができる。なお、透明プラスチックファイルの下の部分に密着シートの付いた（５１）付箋が（６１）が付いており上に１枚ファイルを持ち上げると密着シートにより上に張りつくので図９のように２倍の掲示が可能である。上部と下部に密着シートが付いているため平滑な面（紙面、樹脂面、ガラス面、スチール面など）ならどこでも掲示できるようになっている。
【００２７】
なお、本発明のよこ型においても、出し入れ口（４１）は右横にのみ限定するものではなく、左横でも本発明を逸脱するものではなく、単に本発明物を紙面に向かって時計方向あるいは半時計方向に１８０度回転させて使用することでも、同一の機能を満たすことができることは言うまでもない。
さらには出し入れ口を左右にあけることで透明プラスチックファイル（３１）よりも大きなプリント類も収納することもできる。
【００２８】
また、本発明物を紙面に向かって半時計方向に９０度回転させることで、透明プラスチックファイル（３１）を横開きにめくることができるために、縦長のプリント類を収納できるだけでなく、上下方向に狭い空間でも本発明品を設置することを可能にする。さらには密着シート（１１）の密着部分が上下方向に配置されることになり、本発明物の耐荷重性能を向上させる効果を発生させる。付箋（６１）に固定された密着シート（５１）も同効果を発生させる。
なお、本発明品に収納するのはプリントに限るものでなく、名刺、写真等のものであってもよい。
【実施例１】
【００２９】
図の中の（１）と（１１）の密着シートについて実験した。この実験はＢ４ファイル５枚にＢ４コピー用紙を１０枚入れて、次のような密着シートのサイズについて実験をした。
Ｂ４の縦型の場合，縦０．５センチ横２７センチの密着シートは、面に着けることはできるがファイルをめくるとはずれてしまった。密着シートを縦１センチ横２７センチものにしたら面にも付くしめくって固定するのも可能に成った。  
Ｂ４の横型の場合は、縦０，５センチ横３７センチの密着シートを付けると面に付けることはできてもめくって固定することはできなかった。密着シートを縦１センチ横３７センチにすると面にも付くしめくって固定することもできた。
この結果、密着シートは（１）、（１１）は１ｃｍ以上のたて（幅）が必要であることがわかった。
【実施例２】
【００３０】
Ａ２ファイル１０枚にコピー用紙Ａ４を２０枚を入れた場合、付箋（６）、（６１）をつけない場合は整理するのに便利であったが、所望のファイルをめくるのにやや不便を感じた。
【実施例３】
【００３１】
Ａ２ファイル１０枚にコピー用紙Ａ４を２０枚を入れた場合、付箋（６）、（６１）をつけると、プリント類を整理すること、めくって見ることがより便利にできた。
【実施例４】
【００３２】
Ａ３ファイル１０枚にコピー用紙Ａ４を５０枚を入れた場合、付箋（６）、（６１）に密着シート（５）、（５１）をつけると固定できるため、ファイルをめくって見るときに常に片手で押さえていなくてもよいので便利である。それに裏側のプリント類の掲示が見やすくなる。なお、付箋の密着シートのサイズにはたて型の場合、たて０．５ｃｍ・よこ５ｃｍ、よこ型の場合たて０．５ｃｍ・よこ７ｃｍとした。
【実施例５】
【００３３】
Ａ４ファイル５枚にＡ４コピー用紙を３０枚を入れた場合、プリント類の出し入れ口を上部にあけた場合はプリント類が落ちないという利点はあり、また、プリント類の出し入れ口を右横にするとプリント類の出し入れが容易であり、本体を水平に保っていればプリント類が落下することはなかった。
【実施例６】
【００３４】
Ａ４ファイル５枚にＡ４コピー用紙を３０枚を入れた場合、付箋（６）、（６１）に密着シート（５）、（５１）の代わりにマグネットシートをつけると、本発明品を取り外したあとも汚れや付着物が残らなかった。また、金属板であれば、表面にほこりがあっても、何度でも取り付けたり、取り外してもプリント類が落下することはなかった。
【実施例７】
【００３５】
Ａ４のプラスチックファイル５枚の付いた飾り板に（２１）縦２センチ横４センチのマグネットシート（１１）を２個付け付箋部分すべてに（Ｂ６１）縦１センチ横４センチのマグネットシートを挟み込んで実験した。
横長の場合Ａ４コピー用紙７０枚（約３００グラム）は入れても密着部分がはずれることはなかった。
その本体を９０度回して縦長に使った場合Ａ４コピー用紙５０枚分（約１８０グラム）は、密着部分がはずれることはなかった。    
【実施例８】
【００３６】
Ｂ４のプラスチックファイル５枚の付いた飾り板に（２１）縦２センチ横４センチのマグネットシート（１１）３固付け付箋部分すべてに縦１センチ横４センチのマグネットシートを（５１）挟み込んで実験した。
横長の場合Ｂ４コピー用紙７０枚分（約４６０グラム）は入れても密着部分がはずれることはなかった。
その本体を９０度回して縦型に使った場合、Ｂ４コピー用紙５０枚（約２６０グラム）は入れても密着部分がはずれることはなかった。
【図面の簡単な説明】
【００３７】
【図１】掲示型プリント類収納ファイルの実施方法を示した説明図である。
【図２】掲示型プリント類収納ファイルのたて型・裏側を示した説明図である。
【図３】掲示型プリント類収納ファイルのたて型・断面図を示した説明図である。
【図４】掲示型プリント類収納ファイルのたて型・表側を示した説明図である。
【図５】掲示型プリント類収納ファイルのたて型・めくって掲示したときを示した説明図である。
【図６】掲示型プリント類収納ファイルのよこ型・裏側を示した説明図である。
【図７】掲示型プリント類収納ファイルのよこ型・断面図を示した説明図である。
【図８】掲示型プリント類収納ファイルのよこ型・表側を示した説明図である。
【図９】掲示型プリント類収納ファイルのよこ型・めくって掲示したときを示した説明図である。
【符号の説明】
【００３８】
（１）、（１１）    密着シート
（２）、（２１）    飾り板
（３）、（３１）    透明プラスチックファイル
（４）、（４１）    ファイルのプリント類出し入れ口
（５）、（５１）    密着シート
（６）、（６１）    付箋
【図１】
2004249724.tif 000003
【図２】
2004249724.tif 000004
【図３】
2004249724.tif 000005
【図４】
2004249724.tif 000006
【図５】
2004249724.tif 000007
【図６】
2004249724.tif 000008
【図７】
2004249724.tif 000009
【図８】
2004249724.tif 000010
【図９】
2004249724.tif 000011